(57)【要約】【課題】  通信装置内の冗長構成された基準クロックや基準フレーム位相信号の冗長の切り換え等によりフレーム位相信号の位相変動が発生した場合に、本フレーム位相同期回路の配下の機能ブロックに対して位相変動を抑えたフレーム位相信号を発生するフレーム位相同期回路を提供することを目的とする。【解決手段】  同期化したフレーム位相信号のフレーム位相変動を監視し、該フレーム位相の変動幅が所定値の範囲以内である場合に、フレーム位相信号を作成するカウンタおよびタイミング発生回路のロード信号として、入力する基準フレーム位相と前記カウンタおよびタイミング発生回路の作成したフレーム位相から該カウンタおよびタイミング発生回路の作成したフレーム位相を選択する手段を有する。【選択図】図１
2005045734.tif 000002
【特許請求の範囲】
【請求項１】
冗長構成された入力フレーム位相信号より選択された基準となる入力フレーム位相信号に対して同期したフレーム位相信号を発生するフレーム位相同期回路において、
前記の入力フレーム位相に同期したフレーム位相信号を発生するカウンタおよびタイミング発生回路と、
前記のカウンタおよびタイミング発生回路が発生するフレーム位相信号のフレーム位相の変動を検出し、該検出したフレーム位相の変動幅が所定値以内になった場合に出力するフレーム位相変動検出回路と、
前記のフレーム位相変動検出回路の出力に応じて、前記のカウンタおよびタイミング発生回路の基準となるフレーム位相信号として、前記の入力フレーム位相と前記のカウンタおよびタイミング発生回路が出力するフレーム位相信号とから該カウンタおよびタイミング発生回路が出力するフレーム位相信号を選択するフレーム位相選択回路と、
を備えることを特徴とするフレーム位相同期回路。
【請求項２】
請求項１に記載のフレーム位相同期回路において、
前記の入力フレーム位相と前記のカウンタおよびタイミング発生回路が発生するフレーム位相信号とのフレーム位相差の変動を検出し、該検出したフレーム位相の変動幅が所定値以内になった場合に出力するフレーム位相変動検出回路を備えることを特徴とするフレーム位相同期回路。
【請求項３】
請求項１に記載のフレーム位相同期回路において、
前記のフレーム位相変動検出回路が有するフレーム位相の変動幅の所定値を通信装置外部より設定可能とするフレーム位相変動幅設定回路を備えることを特徴とするフレーム位相同期回路。
【発明の詳細な説明】
【技術分野】
【０００１】
本発明は、ディジタル同期網を構成する通信装置にてディジタルデータ信号のフレーム位相を認識するためのフレーム位相同期回路に係り、特に、冗長構成された入力フレーム位相信号の切り換え等により基準となる入力フレーム位相信号に位相変動が発生した場合に、該フレーム位相同期回路が出力するフレーム位相信号が該位相変動に追従することなしに位相変動を抑制するフレーム位相同期回路に関する。
【背景技術】
【０００２】
ディジタル網を構成する通信装置では、通信装置間を伝送するディジタルデータ信号を受信し終端した後、該終端したディジタルデータ信号の多重・分離・スイッチング等を実施するために、通信装置内で該ディジタルデータ信号を共通処理する事が一般的に行われている。その際に、通信装置内の各パッケージ、ユニット等のブロックは、通信装置内で作成する共通的なフレーム位相信号を受けて該ブロック内でフレーム位相を確立するフレーム位相同期回路を有することが必要になる。
【０００３】
図６は従来技術におけるフレーム位相同期回路を説明する図であり、上記の通信装置内の冗長構成されたクロック共通部１ａ、１ｂとデータ制御部２が冗長構成された基準クロック（５１）と冗長構成された基準フレーム位相信号（５２）によって接続されている。クロック共通部１ａ、１ｂは、基準となる入力クロックと比較するクロックとの位相を比較して該比較結果となる位相差を発生する位相比較器（ＰＣ）５０１と、該位相差に応じた制御電圧を発生するローパスフィルタ（ＬＰＦ）５０２と、該制御電圧に応じた周波数のクロックを発生する電圧制御発振器（ＶＣＯ）５０３と、該電圧制御発振器が発生するクロックを分周する分周器（１／ｎ）５０４とによって構成するクロック位相同期回路５０、分周回路５１，５２によって構成している。データ制御部２は、冗長構成された基準クロックと基準フレーム位相信号を選択する選択回路６４と、基準となる入力クロックと比較するクロックとの位相を比較して該比較結果となる位相差を発生する位相比較器（ＰＣ）６０１と、該位相差に応じた制御電圧を発生するローパスフィルタ（ＬＰＦ）６０２と、該制御電圧に応じた周波数のクロックを発生する電圧制御発振器（ＶＣＯ）６０３と、該電圧制御発振器が発生するクロックを分周する分周器（１／ｎ）６０４とによって構成するクロック位相同期回路６０、フレーム位相再生回路６１、カウンタおよびタイミング発生回路６２によって構成している。
【０００４】
図７は従来の技術におけるフレーム位相同期回路を説明するタイミングチャートであり、図６に記載した基準クロック（５１）、基準フレーム位相信号（５２）、拡大化した基準クロック（５１）、基準フレーム位相信号（５２）、データ制御部内同期クロック（６１）、データ制御部内フレーム位相信号（６２）を示している。なお、（  ）付数字はクロック及び信号を表している。
【０００５】
クロック共通部１は、通信装置がクロック同期するための基準となる入力クロックを受け、クロック位相同期回路５０は該入力クロックに同期したクロックを発生し、分周回路５１は該通信装置内で使用する基準クロック（５１）を該クロック位相同期回路５０の発生クロックから作成する。また、分周回路５２は該通信装置内で使用する基準フレーム位相を示す基準フレーム位相信号（５２）を該クロック位相同期回路５０の発生クロックから作成する。該基準フレーム位相信号（５２）は基準クロック（５１）に同期し、所定の位相関係を満たしている。ここでは、図７に示すように基準フレーム位相信号（５２）のエッジ（変化点）は基準クロック（５１）の立上りエッジに同期しているとし、基準フレーム位相信号（５２）の周期は基準クロック（５１）の８倍の周期としている。
【０００６】
データ制御部２は、前記のクロック共通部１から冗長構成された基準クロック（５１）を受け、選択回路６４にて基準となるクロックを選択し、クロック位相同期回路６０は該基準クロック（５１）に同期した所定の周波数のクロックを発生し、該クロックはデータ制御部内同期クロック（６１）として各回路に分配される。また、データ制御部２は前記のクロック共通部１から冗長構成された基準フレーム位相信号（５２）を受け、選択回路６４にて基準となるフレーム位相信号を選択し、フレーム位相再生回路６１は該データ制御部内同期クロック（６１）で該基準フレーム位相信号（５２）を再生する。一般的にはフリップフロップ回路を用いたり、またビット数の小さいＦＩＦＯ(first-in first-out)回路を用いて再生している。そして、カウンタおよびタイミング発生回路６２は該フレーム位相再生回路６１の出力信号であるフレーム位相信号をカウンタのロード信号等に用いることによって該データ制御部２で使用するデータ制御部内フレーム位相信号（６２）を発生する。
【０００７】
前記のデータ制御部内フレーム位相信号（６２）を用いて、通信装置が受信するディジタルデータ信号のフレーム位相を確立するフレーム位相同期回路もある（例えば、特許文献１参照）。
【特許文献１】特開昭６４−２４５３０号公報
【発明の開示】
【発明が解決しようとする課題】
【０００８】
以上記載したように、通信装置内で使用される基準フレーム位相信号によって、該通信装置にてディジタルデータ信号の多重・分離・スイッチング等を実施するために、多重処理部、分離処理部、スイッチング処理部等の各データ処理部はフレーム位相を確立するためにフレーム位相回路を有することが必要になるが、図６に示した従来の技術におけるフレーム位相同期回路では、前記の基準クロックや基準フレーム位相信号の位相が冗長構成の切り換え等の要因で変動すると該データ制御部で発生する前記のデータ制御部内フレーム位相信号（６２）の位相が追従して変動することになる。これは該データ制御部の配下にあるディジタルデータ信号の多重・分離・スイッチング等の機能を実現する回路部（以降、機能ブロックと記載する。）においてディジタルデータエラー発生の要因となる。
【０００９】
本発明は、通信装置内の基準クロックや基準フレーム位相信号に位相変動が発生した場合においても、本発明のフレーム位相同期回路の配下の機能ブロックに対して該位相変動を抑えたフレーム位相信号を発生するフレーム位相同期回路を提供することを目的とする。
【課題を解決するための手段】
【００１０】
第一の発明は、冗長構成された入力フレーム位相信号より選択された基準となる入力フレーム位相信号に対して同期したフレーム位相信号を発生するフレーム位相同期回路において、
前記の入力フレーム位相に同期したフレーム位相信号を発生するカウンタおよびタイミング発生回路と、前記のカウンタおよびタイミング発生回路が発生するフレーム位相信号のフレーム位相の変動を検出し、該検出したフレーム位相の変動幅が所定値以内になった場合に出力するフレーム位相変動検出回路と、前記のフレーム位相変動検出回路の出力に応じて、前記のカウンタおよびタイミング発生回路の基準となるフレーム位相信号として、前記の入力フレーム位相と前記のカウンタおよびタイミング発生回路が出力するフレーム位相信号とから該カウンタおよびタイミング発生回路が出力するフレーム位相信号を選択するフレーム位相選択回路とを備えることを特徴とするフレーム位相同期回路である。
【００１１】
第一の発明によれば、通信装置内の基準フレーム位相信号に位相変動が発生した場合においても、前記のカウンタおよびタイミング発生回路が発生するフレーム位相信号のフレーム位相の変動がないことを検出し、該カウンタおよびタイミング発生回路のロード信号を変更しておくことによって、本フレーム位相同期回路の配下の機能ブロックに対して該位相変動を抑えたフレーム位相信号を発生することが可能となる。
【００１２】
第二の発明は、第一の発明に記載のフレーム位相同期回路において、
前記の入力フレーム位相と前記のカウンタおよびタイミング発生回路が発生するフレーム位相信号とのフレーム位相差の変動を検出し、該検出したフレーム位相の変動幅が所定値以内になった場合に出力するフレーム位相変動検出回路を備えることを特徴とするフレーム位相同期回路である。
【００１３】
第二の発明によれば、通信装置内の基準フレーム位相信号に位相変動が発生した場合においても、前記の入力フレーム位相と前記のカウンタおよびタイミング発生回路が発生するフレーム位相信号のフレーム位相とのフレーム位相差の変動がないことを検出し、該カウンタおよびタイミング発生回路のロード信号を変更しておくことによって、本フレーム位相同期回路の配下の機能ブロックに対して該位相変動を抑えたフレーム位相信号を発生することが可能となる。
【００１４】
第三の発明は、第一の発明に記載のフレーム位相同期回路において、
前記のフレーム位相変動検出回路が有するフレーム位相の変動幅の所定値を通信装置外部より設定可能とするフレーム位相変動幅設定回路を備えることを特徴とするフレーム位相同期回路である。
【００１５】
第三の発明によれば、通信装置内の基準フレーム位相信号に位相変動が発生した場合に、前記のカウンタおよびタイミング発生回路が発生するフレーム位相信号のフレーム位相の変動を検出し、該カウンタおよびタイミング発生回路のロード信号を変更するための基準値を通信装置外部から設定することが可能となる。
【発明の効果】
【００１６】
本発明のフレーム位相同期回路は、基準クロックや基準フレーム位相信号に冗長構成の切り換え等により位相変動が発生した場合においても、本発明のフレーム位相同期回路の配下の機能ブロックに対して該位相変動を抑えたフレーム位相信号を発生することを可能とする。
【００１７】
本発明の第一の発明によれば、基準フレーム位相信号に位相変動が発生した場合においても、前記のカウンタおよびタイミング発生回路が発生するフレーム位相信号のフレーム位相の変動がないことを検出し、該カウンタおよびタイミング発生回路のロード信号を変更しておくことによって、本フレーム位相同期回路の配下の機能ブロックに対して該位相変動を抑えたフレーム位相信号を発生することが可能となる。
【００１８】
本発明の第二の発明によれば、通信装置内の基準フレーム位相信号に位相変動が発生した場合においても、前記の入力フレーム位相と前記のカウンタおよびタイミング発生回路が発生するフレーム位相信号のフレーム位相とのフレーム位相差の変動がないことを検出し、該カウンタおよびタイミング発生回路のロード信号を変更しておくことによって、本フレーム位相同期回路の配下の機能ブロックに対して該位相変動を抑えたフレーム位相信号を発生することが可能となる。
【００１９】
本発明の第三の発明によれば、基準フレーム位相信号に位相変動が発生した場合に、前記のカウンタおよびタイミング発生回路が発生するフレーム位相信号のフレーム位相の変動を検出し、該カウンタおよびタイミング発生回路のロード信号を変更するための基準値を通信装置外部から設定することが可能となる。
【発明を実施するための最良の形態】
【００２０】
通信装置内の基準クロックや基準フレーム位相信号に冗長構成の切り換え等により位相変動が発生した場合においても、本発明のフレーム位相同期回路の配下の機能ブロックに対して該位相変動を抑えたフレーム位相信号を発生するという目的を、フレーム位相信号を作成するカウンタおよびタイミング発生回路のロード信号に、入力する基準フレーム位相信号と該カウンタおよびタイミング発生回路で作成したフレーム位相信号から、該カウンタおよびタイミング発生回路で作成したフレーム位相信号を用いることで実現している。
【００２１】
図面を併用して本発明の詳細を説明する。
【実施例１】
【００２２】
図１は、本発明のフレーム位相同期回路を説明する図（実施例１）であり、前記の図６で説明した通信装置のデータ制御部２のフレーム位相同期回路に該当するものであり、選択回路６４以降について示しており、基準となる入力クロックと比較するクロックとの位相を比較して該比較結果となる位相差を発生する位相比較器（ＰＣ）１０１と、該位相差に応じた制御電圧を発生するローパスフィルタ（ＬＰＦ）１０２と、該制御電圧に応じた周波数のクロックを発生する電圧制御発振器（ＶＣＯ）１０３と、該電圧制御発振器が発生するクロックを分周する分周器（１／ｎ）１０４とによって構成するクロック位相同期回路１０、フレーム位相再生回路１１、フレーム位相変動検出回路１２、フレーム位相選択回路１３、カウンタおよびタイミング発生回路１４によって構成している。
【００２３】
図２は、本発明のフレーム位相同期回路を説明するタイミングチャートであり、図１に記載した各回路間のクロック（１１）（１３）、フレーム位相信号（１２）（１４）（１５）（１６）（１７）を示している。
【００２４】
クロック位相同期回路１０は前記の図６で説明したように通信装置のクロック共通部から該通信装置の基準クロック（１１）を受け、該基準クロック（１１）に同期した所定の周波数のクロック（１３）を発生し、該クロック（１３）は同期クロックとして各機能ブロックに分配される。
【００２５】
フレーム位相再生回路１１は前記の基準クロック（１１）と同様にクロック共通部から該通信装置の基準フレーム信号ａ（１２）を受け、該同期クロック（１３）によって該基準フレーム位相信号ａ（１２）のエッジを検出することで該基準フレーム信号ａ（１２）を再生したフレーム位相信号（１４）を作成する。
【００２６】
フレーム位相変動検出回路１２はカウンタおよびタイミング発生回路１４が作成するフレーム位相信号（１７）のフレーム位相を監視し、該フレーム位相の変動幅が所定の範囲内である時には該フレーム位相信号（１７）を選択することを指示する信号を、また、該フレーム位相の変動幅が所定の範囲外である時には該フレーム位相信号（１４）を選択することを指示する信号をフレーム位相選択回路１３に出力する。通信装置の電源投入時等の初期立ち上げ時には、該フレーム位相信号（１７）は不定状態であるので、該フレーム位相変動検出回路１２はフレーム位相信号（１４）を選択することを指示する信号をフレーム位相選択回路１３に出力する。なお、前記のフレーム位相の変動幅が所定の範囲内であるとは、本発明を適用する通信装置が構成する通信ネットワークにおいて許容するフレーム位相変動によってディジタルデータエラーが生じる事の無いフレーム位相変動幅である。
【００２７】
フレーム位相選択回路１３は、該フレーム位相変動検出回路１２の出力に応じてフレーム位相信号（１４）もしくは（１７）を選択する。カウンタおよびタイミング発生回路１４は、前記の同期クロック（１３）をカウンタのクロックとし、そして該フレーム位相選択回路１３の出力信号をカウンタのロード信号として所定のカウンタとして動作し、該カウンタの出力信号によりフレーム位相信号（１７）等のタイミングを発生する。通常の場合のフレーム位相信号（１７）は該ロード信号となるフレーム位相信号（１４）と同じ位相となる。
【００２８】
しかし、冗長構成の切り換え、つまり図６の選択回路６４での選択変更等の要因で基準フレーム位相信号のフレーム位相が変動した場合、図２の基準フレーム位相信号ｂ（１５）に示すようにフレーム位相が変動した場合（変動した場合を破線にて示す。）、フレーム位相再生回路１１の出力も同様に変動したフレーム位相信号（１６）を出力する。該変動したフレーム位相信号（１６）がカウンタおよびタイミング発生回路１４に入力されると前記の動作により出力であるフレーム位相信号も追従して同様に変動したフレーム位相信号となる。その結果、該変動したフレーム位相信号を使用する配下のディジタルデータ信号を処理する機能ブロックではジッタやディジタルデータエラーの発生の要因となる。
【００２９】
そこで実施例１では、フレーム位相変動検出回路１２において基準となるフレーム位相信号（１６）に追従するフレーム位相信号（１７）のフレーム位相変動幅が所定の範囲以内になっている場合に、カウンタおよびタイミング発生回路１４に与えるロード信号を該カウンタおよびタイミング発生回路１４の作成したフレーム位相信号（１７）にしておくことで、上記のようなフレーム位相の変動が発生した場合においても該フレーム位相の変動幅が所定の範囲以内ならば基準となるフレーム位相信号（１６）の影響を抑制し、安定したフレーム位相信号を出力するものである。
【００３０】
なお、上記のようなフレーム位相の変動が発生した場合において、該フレーム位相の変動幅が所定の範囲外ならば、カウンタおよびタイミング発生回路１４に与えるロード信号を前記の変動したフレーム位相信号（１６）にする。ここで、前記のフレーム位相の変動幅が所定の範囲外とは、本発明を適用する通信装置が構成する通信ネットワークにおいて許容するフレーム位相変動を越えたフレーム位相変動幅であり、該通信ネットワーク上、フレーム位相が異なる領域に移動した場合である。
【実施例２】
【００３１】
図３は、本発明のフレーム位相同期回路を説明する図（実施例２）であり、クロック位相同期回路１０、フレーム位相再生回路１１、フレーム位相選択回路１３、カウンタおよびタイミング発生回路１４は前記の図１で説明したものと同一であるため同じ符号を用いている。また、各回路間のクロック（１１）（１３）、フレーム位相信号（１２）（１４）（１５）（１６）（１７）も図１、図２に記載したものと同一であるため同じ符号を用いている。
【００３２】
よって、実施例１と異なる部分についてのみ以下に説明する。
【００３３】
フレーム位相変動検出回路２２は前記のフレーム位相再生回路１１が作成したフレーム位相信号（１４）と前記のカウンタおよびタイミング発生回路１４が作成するフレーム位相信号（１７）のフレーム位相を比較しフレーム位相差の変動を検出し、該比較する２つのフレーム位相信号の位相差が所定の範囲内である時には該フレーム位相信号（１７）を選択することを指示する信号を、また、該比較する２つのフレーム位相信号の位相差が所定の範囲外である時には該フレーム位相信号（１４）を選択することを指示する信号を出力する。
【００３４】
そして、冗長構成の切り換え、つまり図６の選択回路６４での選択変更等の要因で基準フレーム位相信号のフレーム位相が変動した場合、実施例２では、フレーム位相変動検出回路１２において基準となるフレーム位相信号（１６）と該フレーム位相信号（１６）に追従するフレーム位相信号（１７）のフレーム位相間の変動幅が所定の範囲以内になっている場合に、カウンタおよびタイミング発生回路１４に与えるロード信号を該カウンタおよびタイミング発生回路１４の作成したフレーム位相信号（１７）にしておくことで、上記のようなフレーム位相の変動が発生した場合においても該比較する２つのフレーム位相信号の位相差が所定の範囲以内ならば基準となるフレーム位相信号（１６）の影響を抑制し、安定したフレーム位相信号を出力するものである。
【００３５】
なお、上記のようなフレーム位相の変動が発生した場合において、該フレーム位相間の変動幅が所定の範囲外ならば、カウンタおよびタイミング発生回路１４に与えるロード信号を前記の変動したフレーム位相信号（１６）にする。
【実施例３】
【００３６】
図４は、本発明のフレーム位相同期回路を説明する図（実施例３）であり、クロック位相同期回路１０、フレーム位相再生回路１１、フレーム位相選択回路１３、カウンタおよびタイミング発生回路１４は前記の図１で説明したものと同一であるため同じ符号を用いている。また、各回路間のクロック（１１）（１３）、フレーム位相信号（１２）（１４）（１５）（１６）（１７）も図１、図２に記載したものと同一であるため同じ符号を用いている。
【００３７】
よって、実施例１と異なる部分についてのみ以下に説明する。
【００３８】
フレーム位相変動検出回路３２は基本的に図１のフレーム位相変動検出回路１２と同じであるが、基準となるフレーム位相信号（１６）に追従するフレーム位相信号（１７）のフレーム位相変動幅を判断する値を、本発明を搭載する通信装置の外部より設定可能とするフレーム位相変動幅設定回路３１を備え、該フレーム位相変動検出回路３２は外部より設定される所定の値に対して該フレーム位相信号（１７）のフレーム位相変動幅を判断する。
【実施例４】
【００３９】
図５は、本発明のフレーム位相同期回路を説明する図（実施例４）であり、クロック位相同期回路１０、フレーム位相再生回路１１、フレーム位相選択回路１３、カウンタおよびタイミング発生回路１４は前記の図１で説明したものと同一であるため同じ符号を用いている。また、各回路間のクロック（１１）（１３）、フレーム位相信号（１２）（１４）（１５）（１６）（１７）も図１、図２に記載したものと同一であるため同じ符号を用いている。
【００４０】
よって、実施例１と異なる部分についてのみ以下に説明する。
【００４１】
フレーム位相変動検出回路４２は基本的に図１のフレーム位相変動検出回路１２と同じであるが、フレーム位相変動検出回路１２において基準となるフレーム位相信号（１６）に追従するフレーム位相信号（１７）のフレーム位相変動幅が所定の範囲以内になっている場合に、カウンタおよびタイミング発生回路１４に与えるロード信号を該カウンタおよびタイミング発生回路１４の作成したフレーム位相信号（１７）にしておくことの他に、タイマー４１を備え、フレーム位相選択回路１３が該カウンタおよびタイミング発生回路１４の作成したフレーム位相信号（１７）を選択している場合に、該タイマー４１にて設定されたタイミング（周期）で、該カウンタおよびタイミング発生回路１４に与えるロード信号を、基準フレームパルスａ（１２）を再生したフレーム位相信号（１４）にするものである。
【００４２】
以上述べた本発明の実施の態様は、以下の付記の通りである。
【００４３】
（付記１）  冗長構成された入力フレーム位相信号より選択された基準となる入力フレーム位相信号に対して同期したフレーム位相信号を発生するフレーム位相同期回路において、
前記の入力フレーム位相に同期したフレーム位相信号を発生するカウンタおよびタイミング発生回路と、前記のカウンタおよびタイミング発生回路が発生するフレーム位相信号のフレーム位相の変動を検出し、該検出したフレーム位相の変動幅が所定値以内になった場合に出力するフレーム位相変動検出回路と、前記のフレーム位相変動検出回路の出力に応じて、前記のカウンタおよびタイミング発生回路の基準となるフレーム位相信号として、前記の入力フレーム位相と前記のカウンタおよびタイミング発生回路が出力するフレーム位相信号とから該カウンタおよびタイミング発生回路が出力するフレーム位相信号を選択するフレーム位相選択回路とを備えることを特徴とするフレーム位相同期回路。
【００４４】
（付記２）  付記１に記載のフレーム位相同期回路において、
前記の入力フレーム位相と前記のカウンタおよびタイミング発生回路が発生するフレーム位相信号とのフレーム位相差の変動を検出し、該検出したフレーム位相の変動幅が所定値以内になった場合に出力するフレーム位相変動検出回路を備えることを特徴とするフレーム位相同期回路。
【００４５】
（付記３）  付記１に記載のフレーム位相同期回路において、
前記のフレーム位相変動検出回路が有するフレーム位相の変動幅の所定値を通信装置外部より設定可能とするフレーム位相変動幅設定回路を備えることを特徴とするフレーム位相同期回路。
【００４６】
（付記４）  付記１に記載のフレーム位相同期回路において、
前記のフレーム位相変動検出回路にタイマーを備え、該タイマーの設定するタイミングで前記のフレーム位相選択回路を制御することを併せ持つフレーム位相変動検出回路を備えることを特徴とするフレーム位相同期回路。
【産業上の利用可能性】
【００４７】
上記にて説明したように、ディジタルデータ信号の多重・分離・スイッチング等を実施するために、通信装置内で作成する共通的なフレーム位相信号を受けフレーム位相を確立することが必要になる通信装置で適用できる。
【図面の簡単な説明】
【００４８】
【図１】本発明のフレーム位相同期回路を説明する図（実施例１）である。
【図２】本発明のフレーム位相同期回路を説明するタイミングチャートである。
【図３】本発明のフレーム位相同期回路を説明する図（実施例２）である。
【図４】本発明のフレーム位相同期回路を説明する図（実施例３）である。
【図５】本発明のフレーム位相同期回路を説明する図（実施例４）である。
【図６】従来の技術におけるフレーム位相同期回路を説明する図である。
【図７】従来の技術におけるフレーム位相同期回路を説明するタイミングチャートである。
【符号の説明】
【００４９】
１ａ、１ｂ    クロック共通部
２    データ制御部
１０、５０、６０    クロック位相同期回路
１０１、５０１、６０１    位相比較器（ＰＣ）
１０２、５０２、６０２    ローパスフィルタ（ＬＰＦ）
１０３、５０３、６０３    電圧制御発振器（ＶＣＯ）
１０４、５０４、６０４    分周器（１／ｎ）
１１、６１    フレーム位相再生回路
１２、２２、３２、４２    フレーム位相変動検出回路
１３    フレーム位相選択回路
１４、６２    カウンタおよびタイミング発生回路
３１    フレーム位相変動幅設定回路
４１    タイマー
５１、５２    分周回路
６４    選択回路
【図１】
2005045734.tif 000003
【図２】
2005045734.tif 000004
【図３】
2005045734.tif 000005
【図４】
2005045734.tif 000006
【図５】
2005045734.tif 000007
【図６】
2005045734.tif 000008
【図７】
2005045734.tif 000009